(57)【要約】【課題】帰零速度を制御しながら、連続運針で指示部を初期位置に戻すこと。【解決手段】初期位置を基準として回転する指示部４０と、指示部の回転に基づいて時間情報を表示する表示部１４と、時間情報の表示の終了指示に基づいて、指示部を初期位置まで復帰させる復帰部４１と、指示部が初期位置に復帰するまでの間に指示部の回転速度を抑制する回転抑制部４２とを備える時間表示機構２４を提供する。【選択図】図２
2015166717.tif 000002
【特許請求の範囲】
【請求項１】
初期位置を基準として回転する指示部と、
前記指示部の回転に基づいて時間情報を表示する表示部と、
前記時間情報の表示の終了指示に基づいて、前記指示部を前記初期位置まで復帰させる復帰部と、
前記指示部が前記初期位置に復帰するまでの間に、前記指示部の回転速度を抑制する回転抑制部と、を備えることを特徴とする時間表示機構。
【請求項２】
請求項１に記載の時計表示機構において、
前記復帰部は、
前記指示部の回転に伴って回転する第１回転体と、
前記指示部の回転に伴って回転すると共に、前記終了指示に基づいて強制回転されて、前記初期位置に対応付けされた規定位置に位置決めされるハートカムと、
前記ハートカムの強制回転に伴って弾性変形すると共に、復元変形によって前記第１回転体を前記ハートカムの強制回転に追従するように回転させて、前記指示部を前記初期位置に復帰させる弾性体と、を備えることを特徴とする時計表示機構。
【請求項３】
請求項２に記載の時計表示機構において、
前記弾性体は、初期弾性力を有するように巻回され、外端部が前記第１回転体に接続され、内端部が前記ハートカム又は前記ハートカムに繋がる輪列に接続された、ひげぜんまいであることを特徴とする時計表示機構。
【請求項４】
請求項３に記載の時計表示機構において、
前記ひげぜんまいは、
第１ひげぜんまいと、
前記第１ひげぜんまいとは逆向きに巻回された第２ひげぜんまいと、を備えていることを特徴とする時計表示機構。
【請求項５】
請求項１から４のいずれか１項に記載の時計表示機構において、
前記回転抑制部は、
前記指示部の回転に伴って回転する第２回転体と、
前記第２回転体に対して回転抵抗を付与する抵抗体と、を備えていることを特徴とする時計表示機構。
【請求項６】
請求項５に記載の時計表示機構において、
前記抵抗体は、前記第２回転体の角速度に比例した回転抵抗を付与することを特徴とする時計表示機構。
【請求項７】
請求項１から６のいずれか１項に記載の時計表示機構を備えることを特徴とする時計用ムーブメント。
【請求項８】
請求項７に記載の時計用ムーブメントを備えることを特徴とする時計。
【発明の詳細な説明】
【技術分野】
【０００１】
本発明は、時計用表示機構、時計用ムーブメント及び時計に関する。
【背景技術】
【０００２】
従来から、クロノグラフ機構を備えた時計が数多く知られている（例えば特許文献１参照）。クロノグラフ機構において、クロノグラフ針を初期位置（零位置）に戻すための帰零構造としては、一般的には、ハートカムを叩いて戻すメカ帰零方式と、モータの回転力を利用して間欠運針で戻すモータ帰零方式と、の２つの方式に大別される。
【先行技術文献】
【特許文献】
【０００３】
【特許文献１】特許第５３４１４９４号公報
【発明の概要】
【発明が解決しようとする課題】
【０００４】
メカ帰零方式の場合には、クロノグラフ針が取り付けられているクロノグラフ軸に圧入されたハートカムを叩いて戻す方式であるので、クロノグラフ針を高速に回転させることができ、瞬間的に帰零を行える利点がある。
しかしながら、瞬間的にクロノグラフ針が帰零するので、帰零開始時或いは帰零終了時に、クロノグラフ針に対して過大な負荷（衝撃力）が作用し易く、クロノグラフ針が変形する可能性がある。そのため、負荷を考慮してクロノグラフ針を設計する必要があり、クロノグラフ針の大きさや形状に制約が生じる課題があった。
加えて、クロノグラフ針とクロノグラフ軸との締結部分に対しても過大な負荷が作用するので、クロノグラフ針が緩み易くなってしまう。そのため、この緩みを防止するために、クロノグラフ軸におけるクロノグラフ針の圧入部分の形状を、例えば横断面視四角形状にする等、特殊な形状に形成して、締結トルクを高める等の対策が必要となり、やはり制約が生じる課題があった。
【０００５】
一方、モータ帰零方式の場合には、モータの回転を利用してクロノグラフ針を帰零させる方式であるので、メカ帰零方式に比べて帰零速度が遅く、クロノグラフの再開をスムーズに行い難かった。また、クロノグラフ針は間欠的な運針で帰零するので、見栄えが良くなく、改善の余地があった。さらに、モータの正転、逆転で帰零速度が異なる場合もあり、改善の余地があった。
【０００６】
本発明は、このような事情に考慮してなされたもので、その目的は、帰零速度を制御しながら、連続運針で指示部を初期位置に戻すことができる時間表示機構、これを具備する時計用ムーブメント及び時計を提供することである。
【課題を解決するための手段】
【０００７】
（１）本発明に係る時間表示機構は、初期位置を基準として回転する指示部と、前記指示部の回転に基づいて時間情報を表示する表示部と、前記時間情報の表示の終了指示に基づいて、前記指示部を前記初期位置まで復帰させる復帰部と、前記指示部が前記初期位置に復帰するまでの間に、前記指示部の回転速度を抑制する回転抑制部と、を備えることを特徴とする。
【０００８】
上記時間表示機構によれば、表示部が初期位置を基準として回転する指示部の回転に基づいて時間情報を表示するので、例えば時間計測を正確に行うことができる。そして、時間計測を停止させるために、時間情報の表示の終了指示が出された場合には、復帰部が指示部を初期位置に復帰（帰零）させる。これにより、指示部及び表示部の位置を元の位置にリセットすることができ、次の時間計測に備えることができる。
ところで、復帰部によって指示部が初期位置に復帰するまでの間、回転抑制部が指示部の回転速度を抑制する。これにより、指示部の帰零速度を制御することができ、該指示部を瞬間的に初期位置に復帰させるのではなく、所望する帰零速度で連続運針させながら復帰させることができる。
【０００９】
従って、指示部及び表示部に過大な負荷が作用することを防止でき、負荷を考慮した設計上の制約をなくすことができる。また、指示部及び表示部を、所望する帰零速度で連続運針させながら復帰させることができるので、速やかに次の時間表示（時間計測）に備えることができると共に、帰零時における指示部及び表示部の動きの見栄えを良くでき、デザイン性を高めることもできる。
【００１０】
（２）前記復帰部は、前記指示部の回転に伴って回転する第１回転体と、前記指示部の回転に伴って回転すると共に、前記終了指示に基づいて強制回転されて、前記初期位置に対応付けされた規定位置に位置決めされるハートカムと、前記ハートカムの強制回転に伴って弾性変形すると共に、復元変形によって前記第１回転体を前記ハートカムの強制回転に追従するように回転させて、前記指示部を前記初期位置に復帰させる弾性体と、を備えても良い。
【００１１】
この場合には、指示部が初期位置を基準として回転している際、第１回転体及びハートカムが一体となって指示部と共に回転している。ここで、時間情報の表示の終了指示が出された場合には、ハートカムが叩かれる等して強制回転され、規定位置に位置決めされる。このとき、ハートカムの強制回転に伴って弾性体が弾性変形するので、ハートカムを先行的に回転させることができる。そして、ハートカムが規定位置に位置決めされると、弾性体が復元変形して、第１回転体をハートカムの強制回転に追従するように遅れて回転させる。これにより、指示部及び表示部の位置を元の位置にリセットすることができる。
このように、先にハートカムを強制回転させ、その後に弾性体による復元変形を利用して指示部を帰零させるので、より滑らかな連続運針でリセットすることができる。
【００１２】
（３）前記弾性体は、初期弾性力を有するように巻回され、外端部が前記第１回転体に接続され、内端部が前記ハートカム又は前記ハートカムに繋がる輪列に接続された、ひげぜんまいでも良い。
【００１３】
この場合には、ひげぜんまいの撓み変形を利用できるので、長期的に亘って精度良く指示部を帰零させることができ、信頼性を向上することができる。
【００１４】
（４）前記ひげぜんまいは、第１ひげぜんまいと、前記第１ひげぜんまいとは逆向きに巻回された第２ひげぜんまいと、を備えても良い。
【００１５】
この場合には、巻回方向が互いに逆向きとされた第１ひげぜんまい及び第２ひげぜんまいを利用するので、復元変形時、一方のひげぜんまいを縮径するように弾性変形させ、他方のひげぜんまいを拡径するように弾性変形させることができる。このように、復元変形の方向が相反する第１ひげぜんまい及び第２ひげぜんまいを利用できるので、指示部を初期位置に対してより安定且つ速やかに静止させ易く、さらに精度良く指示部を帰零させることができる。
【００１６】
（５）前記回転抑制部は、前記指示部の回転に伴って回転する第２回転体と、前記第２回転体に対して回転抵抗を付与する抵抗体と、を備えても良い。
【００１７】
この場合には、抵抗体が第２回転体に対して回転抵抗を付与することで、指示部の回転速度を抑制するので、抵抗体を調整することで、指示部の帰零速度を制御することが可能となる。従って、簡便に帰零速度を制御することができ、帰零時における指示部及び表示部の動き（挙動）を自由に設計でき、デザイン性を向上することができる。
【００１８】
（６）前記抵抗体は、前記第２回転体の角速度に比例した回転抵抗を付与しても良い。
【００１９】
この場合には、抵抗体が第２回転体の角速度に比例した回転抵抗を付与するので、例えば指示部の帰零速度を一旦増加させた後、徐々に減速させながら初期位置に復帰させるといった帰零速度の変化を付けることが可能である。従って、帰零時における指示部及び表示部の動きに従来とは異なる独自の変化をつけることができ、デザイン性をさらに向上させて付加価値を高めることができる。
【００２０】
（７）本発明に係る時計用ムーブメントは上記時計表示機構を備えることを特徴とする。
【００２１】
上記時計用ムーブメントによれば、上述した時計表示機構を備えているので、設計上の制約がないうえ、作動性能が優れた高品質な時計用ムーブメントとすることができる。
【００２２】
（８）本発明に係る時計は上記時計用ムーブメントを備えることを特徴とする。
【００２３】
上記時計によれば、上述した時計用ムーブメントを具備しているので、同様に作動性能が優れた高品質な時計とすることができる。特に、クロノグラフ機構を具備するクォーツ時計に好適である。
【発明の効果】
【００２４】
本発明によれば、帰零速度を制御しながら、連続運針で指示部を初期位置に戻すことができる。
【図面の簡単な説明】
【００２５】
【図１】本発明に係る第１実施形態を示す図であって、時計の外観図である。
【図２】図１に示すムーブメントの部分断面図である。
【図３】図２に示すクロノグラフ軸、伝え歯車、ハートカム、ひげぜんまい、オイルロータ及び復針レバーの関係を示す平面図である。
【図４】図３に示す状態から、復針レバーを利用してハートカムを規定位置に位置決めすると共に、クロノグラフ軸が初期位置にリセットされた状態を示す平面図である。
【図５】図２に示す第１ひげぜんまいの平面図である。
【図６】図２に示す第２ひげぜんまいの平面図である。
【図７】図３に示す状態から、復針レバーが作動してハートカムに外力を加えている状態を示す平面図である。
【図８】図７に示す状態から、復針レバーを利用してハートカムを規定位置に位置決めさせた状態を示す平面図である。
【図９】本発明に係る第２実施形態を示すクロノグラフ機構の概略平面図である。
【図１０】図９に示すＡ−Ａ線に沿ったクロノグラフ機構の断面図である。
【図１１】第２実施形態のクロノグラフ機構の変形例を示す概略平面図である。
【図１２】図１１に示すＢ−Ｂ線に沿ったクロノグラフ機構の断面図である。
【図１３】本発明に係る第３実施形態を示すクロノグラフ機構の概略断面図である。
【図１４】図１３に示すクロノグラフ軸、伝え歯車、ハートカム、作動レバー、作動レバーばね、オイルロータ及び復針レバーの関係を示す平面図である。
【図１５】図１４に示す状態から、復針レバーを利用してハートカムを規定位置に位置決めさせた状態を示す平面図である。
【図１６】図１５に示す状態から、クロノグラフ軸が初期位置にリセットされた状態を示す平面図である。
【図１７】本発明に係るクロノグラフ機構の変形例を示す概略断面図である。
【図１８】図１７に示すクロノグラフ軸、伝え歯車、ハートカム、作動レバー、作動レバーばね、ロータ、渦巻きバネ及び復針レバーの関係を示す平面図である。
【発明を実施するための形態】
【００２６】
（第１実施形態）
以下、本発明に係る第１実施形態について図面を参照して説明する。なお、本実施形態では、時計の一例としてクロノグラフ機構を具備するクォーツ式の腕時計（電子時計）を例に挙げて説明する。
【００２７】
（時計の構成）
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側（文字板のある方の側）をムーブメントの「裏側」と称する。また、地板の両側のうち、時計ケースのケース裏蓋のある方の側（文字板と反対の側）をムーブメントの「表側」と称する。
なお、本実施形態では、文字板からケース裏蓋に向かう方向を上側、その反対側を下側として説明する。
【００２８】
図１及び図２に示すように、本実施形態の時計１のコンプリートは、図示しないケース裏蓋及びガラス２からなる時計ケース３内に、少なくとも時に関する情報を示す目盛り等を有する文字板１１と、ムーブメント（本発明に係る時計用ムーブメント）１０と、を備えている。
【００２９】
なお、文字板１１とガラス２との間には、通常の時刻表示を行う指針として、時を示す時針１２及び分を示す分針１３が配置されていると共に、時間計測時に使用するクロノグラフ秒針１４が配置されている。これら時針１２、分針１３及びクロノグラフ秒針１４は、同軸上に配設されている。さらに、本実施形態では、通常の時刻表示を行う指針として、例えば文字板１１の３時位置に秒針１５が配置されている。
但し、上記秒針１５は必須なものではなく具備しなくても構わないし、具備する場合には３時位置に配置される場合に限定されるものではなく、自由な位置に配置して構わない。さらには、クロノグラフ秒針１４だけでなく、時間計測時に使用するクロノグラフ分針やクロノグラフ時針を具備しても構わない。
【００３０】
（時計用ムーブメントの構成）
図２に示すように、ムーブメント１０は、地板２０と、地板２０よりも表側に配置された輪列受２１と、輪列受２１よりも表側に配置されたクロノグラフ受２２と、を備えている。
地板２０の裏側には、上記文字板１１がガラス２を通じて視認可能に配置されている。地板２０の表側には、図示しない電池、通常の時刻表示を行うための輪列機構２３、及び時間計測を行うためのクロノグラフ機構（本発明に係る時間表示機構）２４、輪列機構２３を作動させるための図１に示す第１ステップモータ２５、及びクロノグラフ機構２４を作動させるための図１に示す第２ステップモータ２６が少なくとも配置されている。
【００３１】
図１に示すように、第１ステップモータ２５は、磁心に巻いたコイルワイヤを含むコイルブロック２５ａと、コイルブロック２５ａの磁心の両端部分と接触するように配置されたステータ２５ｂと、ロータ磁石が組み込まれたロータ２５ｃと、を備えている。なお、ロータ２５ｃは、ステータ２５ｂに形成されたロータ穴内に配置され、地板２０及び輪列受２１に対してそれぞれ回転可能に支持されている。
【００３２】
また、地板２０の表側には、電池に導通された図示しない回路基板が配置されている。この回路基板には、内部に所定の周波数で発振を行う水晶振動子を有する図示しない水晶ユニット、及び図示しない集積回路（ＩＣ）が実装されている。
集積回路は、例えばＣ−ＭＯＳ又はＰＬＡで構成され、水晶振動子の振動に基づいて基準信号を出力する発振部（オシレータ）と、この発振部の基準信号を分周する分周部（デバイダ）と、分周部の出力信号に基づいてモータ駆動信号を出力する駆動部（ドライバ）と、を内部に有している。そして、第１ステップモータ２５は、駆動部から出力されたモータ駆動信号に基づいて駆動される。
【００３３】
第２ステップモータ２６は、第１ステップモータ２５と同様に、コイルブロック２６ａ、ステータ２６ｂ及びロータ２６ｃを備えている。第２ステップモータ２６のロータ２６ｃは、クロノグラフのスタート・ストップボタン２７の作動に基づいて作動する図示しないクロノグラフ駆動部によって制御されている。クロノグラフ駆動部は、スタート・ストップボタン２７が押されてクロノグラフが作動した際に、第２ステップモータ２６のロータ２６ｃにモータ駆動信号を出力すると共に、スタート・ストップボタン２７が再度押されてクロノグラフが停止した際に、上記モータ駆動信号の出力を停止する。これにより、第２ステップモータ２６のロータ２６ｃは、クロノグラフ作動時のみ回転する。
【００３４】
図示の例では、スタート・ストップボタン２７は、文字板１１の２時位置に配置されるように時計ケース３に取り付けられている。但し、この場合に限定されるものではなく、スタート・ストップボタン２７の位置は自由に設定して構わない。
また、時計ケース３には、クロノグラフをリセットするためのリセットボタン２８が例えば文字板１１の４時位置に配置されるように取り付けられている。このリセットボタン２８を押すことで、時間情報の表示の終了指示を出すことができ、後述するクロノグラフ軸４０を初期位置Ｐ１に復帰（帰零）させることが可能となる。なお、初期位置Ｐ１は、クロノグラフ秒針１４が１２時を指示する位置とされている（図１、図４参照）。
【００３５】
図２に示すように、地板２０の表側には、第１ステップモータ２５におけるロータ２５ｃの回転に基づいて回転する五番車（不図示）と、五番車の回転に基づいて回転する四番車（不図示）と、四番車の回転に基づいて回転する三番車（不図示）と、三番車の回転に基づいて回転する二番車３０と、二番車３０の回転に基づいて回転する日の裏車（不図示）と、日の裏車の回転に基づいて回転する筒車３１と、が配置されている。これら各車は、表側の上記輪列機構２３を構成する。
【００３６】
五番車、四番車及び三番車は、いずれも地板２０及び輪列受２１に対して回転可能に支持されている。四番車における車軸の下ほぞ部は、文字板１１よりもガラス２側に突出しており、この突出した部分に図１に示す秒針１５が取り付けられている。
【００３７】
二番車３０は、筒状に形成され、後述するクロノグラフ軸４０の軸線Ｏ１と同軸に配置されており、地板２０に一体的に形成されている円筒部３２によって回転可能に支持されている。詳細には、二番車３０は、一部が円筒部３２の内部に配置されていると共に、上端部側が円筒部３２の上方開口端上に回転可能に載置されている。これにより、二番車３０は安定した回転が可能とされている。
【００３８】
なお、図示の例では二番車３０は、第１中継車３３及び第２中継車３４を介して図示しない三番車に噛み合っている。また、二番車３０は１時間に１回転するように構成され、下端部に分針１３が取り付けられている。この際、分針１３はクロノグラフ軸４０に取り付けられるクロノグラフ秒針１４よりも文字板１１側に位置している。
【００３９】
筒車３１は、クロノグラフ軸４０の軸線Ｏ１と同軸に配置されており、上記円筒部３２に対して回転可能に外嵌された筒本体３１ａと、筒本体３１ａに一体に連結され、図示しない日の裏車に噛み合う筒歯車３１ｂと、を備えている。但し、筒本体３１ａと筒歯車３１ｂとは別体に構成されている必要はなく、一体的に形成されていても構わない。
なお、筒車３１は１２時間に１回転するように構成されていると共に、筒本体３１ａの下端部に時針１２が取付けられている。この際、時針１２は分針１３よりも文字板１１側に位置している。
【００４０】
ところで、日の裏車は、図示しない巻真を引き出した状態で回転させたときに、地板２０の表側に配置された図示しないつづみ車等を介して回転するように構成されている。これにより、日の裏車を介して二番車３０及び筒車３１を回転させることができ、時刻合わせが可能とされている。
【００４１】
なお、地板２０の表側には、上記時刻合わせを行う際に集積回路の動作をリセットし、且つ三番車と二番車３０との噛み合いを外す機能を備えた図示しないリセットレバーが配置されている。これにより、巻真を引き出した状態では、三番車と二番車３０との噛み合いが外れた状態となり、秒針１５の付いた四番車は回転しない。従って、図１に示す竜頭３５を介して巻真を引き出した状態で回すことにより、分針１３が取り付けられた二番車３０、時針１２が取り付けられた筒車３１のみを回転させて、時刻を修正することが可能とされている。
なお、四番車は、五番車を介して第１ステップモータ２５のロータ２５ｃと噛み合っているが、ロータ磁石がその場に留まろうとする力（インデックストルク）を有しているので、回転することがない。
【００４２】
（クロノグラフ機構）
クロノグラフ機構２４は、初期位置Ｐ１を基準として回転するクロノグラフ軸（本発明に係る指示部）４０と、クロノグラフ軸４０の回転に基づいて時間情報である計測時間（秒）を表示するクロノグラフ秒針（表示部）１４と、クロノグラフリセット指示（時間情報の表示の終了指示）に基づいてクロノグラフ軸４０を初期位置Ｐ１まで復帰させる復帰部４１と、クロノグラフ軸４０が初期位置Ｐ１に復帰するまでの間に、クロノグラフ軸４０の回転速度を抑制する回転抑制部４２と、を備えている。
【００４３】
クロノグラフ軸４０は、クロノグラフのスタート指示に基づいて軸線Ｏ１回りに回転する車軸であり、上端部に上ほぞ部４０ａが形成され、下端部に上記クロノグラフ秒針１４が取り付けられている。なお、クロノグラフ軸４０の下端部は、二番車３０の下端部よりも下方に突出している。そのため、クロノグラフ秒針１４は、分針１３よりもガラス２寄りに配置されている。
【００４４】
図示の例のクロノグラフ軸４０は、上ほぞ部４０ａから下端部に向かって順に第１拡径部４０ｂ、第２拡径部４０ｃ、第３拡径部４０ｄ、鍔部４０ｅ、第４拡径部４０ｆが連設された多段軸とされている。
第１拡径部４０ｂは、上ほぞ部４０ａよりも拡径した部分であり、この部分に後述する伝え歯車５０が例えば圧入により固定されている。第２拡径部４０ｃは、第１拡径部４０ｂよりも拡径した部分であり、この部分に後述するハートカム５１がクロノグラフ軸４０に対して回転可能に嵌合されている。第３拡径部４０ｄは、第２拡径部４０ｃよりも拡径した部分であり、この部分にクロノグラフ歯車４５がクロノグラフ軸４０に対して回転可能に嵌合されている。鍔部４０ｅは、第３拡径部４０ｄよりもさらに拡径した部分であり、クロノグラフばね４６の内縁部が圧接されている。第４拡径部４０ｆは、鍔部４０ｅよりも縮径し、且つ第３拡径部４０ｄよりも拡径した部分である。
【００４５】
このように構成されたクロノグラフ軸４０は、第４拡径部４０ｆよりも下方に位置する部分が、二番車３０の内部に配置された状態で、二番車３０の上方開口端上に第４拡径部４０ｆが回転可能に載置されている。また、クロノグラフ軸４０の上ほぞ部４０ａは、クロノグラフ受２２に設けられた軸受２２Ａによって軸支されている。これらのことにより、クロノグラフ車は軸線Ｏ１回りに安定して回転可能とされている。
【００４６】
クロノグラフ歯車４５は、外縁部に全周に亘って歯部が形成され、第２ステップモータ２６におけるロータ２６ｃから伝達された回転力によって回転する環状の歯車本体４５ａと、歯車本体４５ａの内縁部に例えば圧入により固定された環状のブッシング４５ｂと、を備えており、ブッシング４５ｂを介してクロノグラフ軸４０の第３拡径部４０ｄに回転可能に嵌合されている。
そして、このクロノグラフ歯車４５の回転力は、クロノグラフばね４６を介してクロノグラフ軸４０に伝達される。
【００４７】
クロノグラフばね４６は、第３拡径部４０ｄに外挿されたリング状の板ばね部材であり、クロノグラフ歯車４５の下方に配置され、クロノグラフ軸４０の鍔部４０ｅとクロノグラフ歯車４５との間に軸線Ｏ１方向に挟まれた状態で取り付けられている。
このクロノグラフばね４６は、周方向（軸線Ｏ１を中心に周回する方向）に等間隔を開けて放射状に形成された複数の脚部４６ａを有している。これら複数の脚部４６ａは、径方向（軸線Ｏ１に直交する方向）の外側に向かうにしたがって上方に向けて反っており、外縁部がクロノグラフ歯車４５の歯車本体４５ａの下面に対して圧接している。また、クロノグラフばね４６の内縁部は、第３拡径部４０ｄを径方向の外側から囲んだ状態で、鍔部４０ｅに対して圧接している。
【００４８】
従って、第３拡径部４０ｄに回転可能に嵌合されているクロノグラフ歯車４５は、クロノグラフばね４６を介してクロノグラフ軸４０に一体的に連結された状態とされ、クロノグラフ作動時、クロノグラフ歯車４５の回転力がクロノグラフばね４６を介してクロノグラフ軸４０に伝達可能とされている。よって、クロノグラフ軸４０は、第２ステップモータ２６におけるロータ２６ｃからの回転力によって、クロノグラフ歯車４５と共に回転する。
【００４９】
その一方、クロノグラフ歯車４５は、クロノグラフ軸４０の第３拡径部４０ｄに回転可能に嵌合されているので、クロノグラフ歯車４５を固定したままの状態で、クロノグラフ軸４０だけを軸線Ｏ１回りに回転させることも可能とされている。この際、クロノグラフばね４６は、クロノグラフ軸４０と共に軸線Ｏ１回りに回転し、脚部４６ａの外縁部がクロノグラフ歯車４５の下面に対して滑るように擦動する。
【００５０】
なお、先に説明したように、クロノグラフ軸４０は、クロノグラフ秒針１４が１２時を指示する位置が初期位置Ｐ１（図４参照）とされ、クロノグラフ作動時、この初期位置Ｐ１を基準として回転する。
【００５１】
図２に示すように、上記復帰部４１は、クロノグラフ軸４０の回転に伴って回転する伝え歯車（本発明に係る第１回転体）５０と、クロノグラフ軸４０の回転に伴って回転すると共に、クロノグラフリセット指示に基づいて強制回転されて規定位置Ｐ２（図４参照）に位置決めされるハートカム５１と、ハートカム５１の強制回転に伴って弾性変形すると共に、復元変形によって伝え歯車５０をハートカム５１の強制回転に追従するように回転させてクロノグラフ軸４０を初期位置Ｐ１に復帰させるひげぜんまい（本発明に係る弾性体）５２と、を備えている。
【００５２】
伝え歯車５０は、上述したようにクロノグラフ軸４０の第１拡径部４０ｂに固定されており、クロノグラフ軸４０の軸線Ｏ１と同軸に配置されている。従って、伝え歯車５０は、クロノグラフ軸４０と共に軸線Ｏ１回りに回転する。伝え歯車５０の外縁部には、全周に亘って歯部５０ａが形成されている。また、伝え歯車５０には、下方に向かって突出すると共に、クロノグラフ軸４０の第２拡径部４０ｃを径方向の外側から囲む円環状の伝え壁部５０ｂが形成されている。この伝え壁部５０ｂは、ハートカム５１に接触しない程度、下方に突出している。
【００５３】
ハートカム５１は、上述したようにクロノグラフ軸４０の第２拡径部４０ｃに回転可能に嵌合されている。この際、第２拡径部４０ｃとハートカム５１との間には所定の摩擦力が確保されており、ハートカム５１はクロノグラフ軸４０と共に回転することが可能とされている。従って、ハートカム５１は、クロノグラフ作動時、クロノグラフ軸４０と共に軸線Ｏ１回りに回転する。
【００５４】
このハートカム５１は、図２及び図３に示すように、外周面の一部が平坦な当接部５１ａとされ、軸線Ｏ１を挟んで当接部５１ａとは径方向の反対側に位置する部分が突起部５１ｂとされた平面視ハート形状に形成されている。ハートカム５１のうち内縁部側の一部は、上方に向けて突出した突出筒部５１ｃとされている。
【００５５】
そして、このハートカム５１は、クロノグラフリセット指示が出された際に、復針レバー５３で叩かれることで強制回転されて、初期位置Ｐ１に対応付けされた規定位置Ｐ２に位置決めされるように構成されている。
具体的に本実施形態では、図４に示すように、クロノグラフ軸４０が初期位置Ｐ１に位置し、クロノグラフ秒針１４が１２時を指示している際、ハートカム５１は突起部５１ｂが１２時方向を向くように構成されており、このときのハートカム５１の位置が上記規定位置Ｐ２とされている。なお、図４では、後述する第２ひげぜんまい５６の図示を省略している（図７及び図８も同様に第２ひげぜんまい５６の図示を省略している）。
【００５６】
そして、クロノグラフリセット指示が出されると、ハートカム５１は復針レバー５３によって上記摩擦力を超える外力で叩かれることで、クロノグラフ軸４０に対して強制的に回転される。そして、復針レバー５３がハートカム５１の当接部５１ａに対して当接することで、ハートカム５１は規定位置Ｐ２に安定的に位置決めされる。
このように、ハートカム５１は、クロノグラフ作動時においては、クロノグラフ軸４０と共に回転し、クロノグラフリセット時には、クロノグラフ軸４０に対して回転する。
【００５７】
なお、復針レバー５３は、図２に示すように、輪列受２１とクロノグラフ受２２との間に配置され、リセットボタン２８が押されたときに作動して、ハートカム５１を叩いて外力を加える時計部品である。
【００５８】
図２及び図３に示すように、ひげぜんまい５２は、初期弾性力を有するように巻回され、ハートカム５１の突出筒部５１ｃと伝え歯車５０の伝え壁部５０ｂとの間に配置されている。図示の例では、ひげぜんまい５２は、第１ひげぜんまい５５と、第１ひげぜんまい５５の下方に間隔をあけて配置され、第１ひげぜんまい５５とは逆向きに巻回された第２ひげぜんまい５６と、の２つのひげぜんまいで構成されている。
【００５９】
図２、図３及び図５に示すように、第１ひげぜんまい５５は、外端部５５ａが伝え壁部５０ｂの内面に接続され、内端部５５ｂがハートカム５１の突出筒部５１ｃに連結されたひげ玉５７に接続されている。これにより、第１ひげぜんまい５５は、ひげ玉５７を介してハートカム５１に接続されている。
この第１ひげぜんまい５５は、外端部５５ａから内端部５５ｂに向かう巻回方向が、クロノグラフリセット時におけるハートカム５１の強制回転方向Ｔ１と一致している。従って、第１ひげぜんまい５５は、クロノグラフリセット時におけるハートカム５１の強制回転に伴って縮径（図５に示す矢印Ｌ１方向）するように弾性変形する。
なお、クロノグラフリセット時におけるハートカム５１の強制回転方向Ｔ１は、クロノグラフ作動時におけるハートカム５１の回転方向と一致している。
【００６０】
図２、図３及び図６に示すように、第２ひげぜんまい５６は、第１ひげぜんまい５５と同様に、外端部５６ａが伝え壁部５０ｂの内面に接続され、内端部５６ｂがひげ玉５７に接続されている。これにより、第２ひげぜんまい５６は、ひげ玉５７を介してハートカム５１に接続されている。
この第２ひげぜんまい５６は、上述したように第１ひげぜんまい５５とは逆向きに巻回されているので、クロノグラフリセット時におけるハートカム５１の強制回転に伴って拡径（図６に示す矢印Ｌ２方向）するように弾性変形する。
【００６１】
図２に示すように、回転抑制部４２は、クロノグラフ軸４０の回転に伴って回転するオイルロータ（本発明に係る第２回転体）６０と、オイルロータ６０に対して回転抵抗を付与する粘性流体（本発明に係る抵抗体）６１と、を備えている。
【００６２】
オイルロータ６０は、ロータかな６０ａ及びロータディスク６０ｂを備えており、上ほぞ部がクロノグラフ受２２に設けられた軸受２２Ｂによって軸支され、下ほぞ部が輪列受２１に固定されたキャビティ６２の軸受溝６２ａによって軸支されている。これにより、オイルロータ６０は軸線Ｏ２回りに安定的に回転可能とされている。
ロータかな６０ａは、伝え歯車５０の歯部５０ａに噛み合っている。これにより、オイルロータ６０は、クロノグラフ軸４０の回転に伴って回転可能とされている。ロータディスク６０ｂは、キャビティ６２内に配置されており、キャビティ６２内に充填された上記粘性流体６１中で回転可能とされている。
【００６３】
キャビティ６２は、上方に開口した有底筒状に形成され、輪列受２１に固定されている。キャビティ６２の内部には粘性流体６１が充填されている。また、キャビティ６２には、開口部分を塞ぐ円環状のキャップ６３が取り付けられており、粘性流体６１をキャビティ６２内に例えば液密に封止している。キャビティ６２の底面における中央部分には、オイルロータ６０の下ほぞ部を軸支する上記軸受溝６２ａが形成されている。
【００６４】
粘性流体６１は、例えば所定の粘性を有するシリコンオイルであり、ロータディスク６０ｂに対して角速度に比例した回転抵抗（粘性抵抗）を付与する。従って、オイルロータ６０は、回転速度が増加するほど大きな回転抵抗が付与されながら回転が抑制される。
【００６５】
（時計の作用）
次に、上述のように構成された時計１の作用について説明する。
はじめに、時刻表示について簡単に説明する。
この場合には、水晶ユニットにおける水晶振動子が所定周波数で発振するので、この水晶振動子の振動に基づいて、集積回路に内蔵されている発振部が基準信号を出力すると共に、分周部が発振部からの基準信号を分周する。そして、駆動部が分周部の出力信号に基づいて、第１ステップモータ２５を駆動するモータ駆動信号を出力する。これにより、図１に示す第１ステップモータ２５のステータ２５ｂが磁化してロータ２５ｃが回転する。
【００６６】
すると、ロータ２５ｃの回転力は五番車を介して四番車に伝達され、該四番車が１分間に１回転して、図１に示す秒針１５を１分間に１回転させる。また、四番車に伝達された回転力は、三番車、二番車３０及び筒車３１に伝達され、これら各車が回転する。このとき、二番車３０が１時間に１回転し、筒車３１が１２時間に１回転する。これにより、図１に示す分針１３を１時間に１回転させ、時針１２を１２時間に１回転させる。このようにして正確な時を刻むことができ、時刻表示を行える。
【００６７】
次に、クロノグラフを作動させた場合について説明する。
この場合には、図１に示すスタート・ストップボタン２７を押し込む。すると、クロノグラフ駆動部が第２ステップモータ２６のロータ２６ｃにモータ駆動信号を出力するので、第２ステップモータ２６のステータ２６ｂが磁化してロータ２６ｃが回転する。このロータ２６ｃの回転力は、図２に示すクロノグラフ歯車４５に伝達されると共に、クロノグラフばね４６を介してクロノグラフ軸４０に伝達される。これにより、初期位置Ｐ１を基準としてクロノグラフ軸４０を軸線Ｏ１回りに回転させることができる。そして、図１に示すように、クロノグラフ軸４０の回転に基づいてクロノグラフ秒針１４が時間情報（計測秒）を表示するので、時間計測を正確に行うことができる。
【００６８】
また、クロノグラフ作動時、図２及び図３に示すように、クロノグラフ軸４０の回転に伴って、ハートカム５１及び伝え歯車５０がともに回転する。このとき、第１ひげぜんまい５５及び第２ひげぜんまい５６は、ハートカム５１及び伝え歯車５０が共に同期して回転するので、弾性変形することなくハートカム５１及び伝え歯車５０に追従して回転する。また、オイルロータ６０は、伝え歯車５０の回転に伴って軸線Ｏ２回りに回転する。このとき、ロータディスク６０ｂは、粘性流体６１中を回転するので回転抵抗が付与されるが、クロノグラフ作動時における回転速度は大きくないので、粘性流体６１から受ける回転抵抗も僅かであり、クロノグラフ性能に影響を与えるほどではない。
【００６９】
次に、クロノグラフの作動を停止し、その後にリセットする場合について説明する。
この場合には、図１に示すスタート・ストップボタン２７を再度押し込む。すると、クロノグラフ駆動部からのモータ駆動信号の出力が停止するので、第２ステップモータ２６のロータ２６ｃが停止して、クロノグラフ軸４０及びクロノグラフ秒針１４の回転が停止する。
次いで、図１に示すリセットボタン２８を押し込んで、リセット指示を出すと、復帰部４１がクロノグラフ軸４０を初期位置Ｐ１に復帰（帰零）させる。これにより、クロノグラフ軸４０及びクロノグラフ秒針１４の位置を元の位置にリセットすることができ、次のクロノグラフの作動に備えることができる。
【００７０】
上述したリセットについて詳しく説明する。
リセット指示が出されると、図７に示すように、復針レバー５３が作動してハートカム５１の外周面を叩いて外力を加える。すると、図８に示すように、ハートカム５１は復針レバー５３からの外力によって軸線Ｏ１回りに強制回転されると共に、復針レバー５３によって規定位置Ｐ２に位置決めされる。このとき、ハートカム５１は、クロノグラフ軸４０における第２拡径部４０ｃとの間の摩擦力を超える外力を受けるので、クロノグラフ軸４０に対して先行的に回転する。
【００７１】
ハートカム５１が強制回転すると、クロノグラフ軸４０及び伝え歯車５０の回転は停止した状態で、ひげ玉５７がハートカム５１と共に回転するので、第１ひげぜんまい５５及び第２ひげぜんまい５６が弾性変形する。このとき、図５及び図８に示すように、第１ひげぜんまい５５が縮径するように弾性変形し、図６に示すように、第２ひげぜんまい５６が拡径するように弾性変形する。
そのため、ハートカム５１が規定位置Ｐ２に位置決めされると、第１ひげぜんまい５５及び第２ひげぜんまい５６が復元変形しはじめ、図８に示すように、伝え歯車５０をハートカム５１の強制回転に追従するように遅れて回転させる。これにより、伝え歯車５０を介してクロノグラフ軸４０及びクロノグラフ秒針１４を軸線Ｏ１回りに回転させることができ、図４に示すように、元の位置にリセットすることができる。
【００７２】
このように、先にハートカム５１を強制回転させ、その後に第１ひげぜんまい５５及び第２ひげぜんまい５６による復元変形を利用してクロノグラフ軸４０及びクロノグラフ秒針１４を帰零させるので、滑らかな連続運針でリセットすることができる。
【００７３】
ところで、上述のように復帰部４１によってクロノグラフ軸４０が初期位置Ｐ１に復帰するまでの間、回転抑制部４２がクロノグラフ軸４０の回転速度を抑制する。これにより、クロノグラフ軸４０の帰零速度を制御することができ、クロノグラフ軸４０を瞬間的に初期位置Ｐ１に復帰させるのではなく、所望する帰零速度で連続運針させながら復帰させることができる。
【００７４】
詳しく説明する。
第１ひげぜんまい５５及び第２ひげぜんまい５６による復元変形により伝え歯車５０が回転すると、図２に示すように、伝え歯車５０の回転に伴ってオイルロータ６０が軸線Ｏ２回りに回転する。この際、ロータディスク６０ｂが粘性流体６１中で回転するので、オイルロータ６０は粘性流体６１から角速度に比例した回転抵抗を受ける。従って、クロノグラフ軸４０を瞬間的に初期位置Ｐ１に復帰させるのではなく、帰零速度を抑制した状態で復帰させることができる。
なお、粘性流体６１の種類や、キャビティ６２内の容積や、ロータディスク６０ｂの形状等を調整することで、帰零速度を調整することが可能である。
【００７５】
以上のことにより、本実施形態のクロノグラフ機構２４によれば、帰零速度を制御しながら、連続運針でクロノグラフ軸４０及びクロノグラフ秒針１４を元の位置にリセットすることができる。従って、クロノグラフ軸４０及びクロノグラフ秒針１４に過大な負荷が作用することを防止でき、負荷を考慮した設計上の制約をなくすことができる。また、クロノグラフ軸４０及びクロノグラフ秒針１４を、所望する帰零速度で連続運針させながら復帰させることができるので、速やかに次の時間計測に備えることができると共に、帰零時におけるクロノグラフ軸４０及びクロノグラフ秒針１４の動きの見栄えを良くでき、デザイン性を高めることができる。
【００７６】
特に、伝え歯車５０は、第１ひげぜんまい５５及び第２ひげぜんまい５６の復元変形に伴って、徐々に回転速度が増加する傾向にある。従って、本実施形態では、クロノグラフ軸４０を帰零させる際、帰零速度を一旦増加させた後、粘性流体６１からの抵抗によって徐々に減速させながら初期位置Ｐ１に復帰させることが可能となる。そのため、帰零時におけるクロノグラフ軸４０及びクロノグラフ秒針１４の動きに従来とは異なる独自の変化をつけることができ、デザイン性をさらに向上させて付加価値を高めることができる。
【００７７】
また、上記実施形態では、第１ひげぜんまい５５及び第２ひげぜんまい５６を有するひげぜんまい５２を用いているので、ひげぜんまい５２の撓み変形を利用でき、長期的に亘って精度良くクロノグラフ軸４０を帰零させることができ、信頼性を向上することができる。  
さらに、復元変形の方向が相反する第１ひげぜんまい５５及び第２ひげぜんまい５６を利用するので、クロノグラフ軸４０を初期位置Ｐ１に対してより安定且つ速やかに静止させ易く、さらに精度良くクロノグラフ軸４０を帰零させることができる。
【００７８】
また、本実施形態のムーブメント１０及び時計１によれば、上記クロノグラフ機構２４を具備しているので、設計上の制約がないうえ、作動性能が優れた高品質なムーブメント１０及び時計１とすることができる。
【００７９】
（第２実施形態）
次に、本発明に係る第２実施形態について図面を参照して説明する。なお、この第２実施形態においては、第１実施形態における構成要素と同一の部分については、同一の符号を付しその説明を省略する。
第１実施形態では、クロノグラフ軸４０とハートカム５１とを同軸上に配置した構成としたが、第２実施形態ではこれらが平面的に配置されている。
【００８０】
図９及び図１０に示すように、本実施形態のクロノグラフ機構７０は、輪列受２１とクロノグラフ受２２との間に、クロノグラフ軸４０、伝え車７１及びハートカム５１を有するハートカム車７２が平面的に配置されている。なお、図９及び図１０では、時計部品の図示を適宜省略し、図面を簡略化している。
【００８１】
クロノグラフ軸４０の第１拡径部４０ｂには、第２クロノグラフ歯車７３が例えば圧入により固定されている。第２クロノグラフ歯車７３の外縁部には、全周に亘って歯部７３ａが形成されており、オイルロータ６０のロータかな６０ａに噛み合っている。
【００８２】
伝え車７１は、伝え車軸７４、及び伝え車軸７４に固定された伝え歯車５０を備えている。伝え車軸７４は、上ほぞ部がクロノグラフ受２２に設けられた軸受２２Ｃに軸支され、下ほぞ部が輪列受２１に設けられた軸受溝２１Ａに軸支されている。これにより、伝え車７１は、軸線Ｏ３回りに安定的に回転可能とされている。
伝え歯車５０は、伝え車軸７４のうち上ほぞ部の下方に位置する部分に固定されている。また、本実施形態の伝え歯車５０の歯部５０ａは、第２クロノグラフ歯車７３の歯部７３ａに噛み合っている。これにより、伝え車７１は、クロノグラフ軸４０の回転に伴って軸線Ｏ３回りに回転する。
【００８３】
伝え車軸７４のうち伝え歯車５０の下方に位置する部分には、ひげ玉５７が回転可能に嵌合されている。そして、ひげ玉５７と伝え歯車５０の伝え壁部５０ｂとの間には、初期弾性力を有するように巻回されたひげぜんまい（本発明に係る弾性体）７５が配置されている。ひげぜんまい７５は、外端部が伝え壁部５０ｂに接続され、内端部がひげ玉５７に接続されている。
また、ひげ玉５７には、外縁部に全周に亘って歯部７６ａが形成された環状の連結歯車７６が、ひげぜんまい７５よりも下方に配置されるように固定されている。
【００８４】
なお、伝え車軸７４とひげ玉５７との間には所定の摩擦力が確保されており、ひげ玉５７は伝え車軸７４と共に回転することが可能とされている。従って、ひげ玉５７及び連結歯車７６は、クロノグラフ作動時、伝え車軸７４と共に軸線Ｏ３回りに回転する。
【００８５】
ハートカム車７２は、ハートカム車軸７７、ハートカム車軸７７に固定されたハートカム５１、及びハートカム車軸７７に固定された平面視円形状のハートカム歯車７８を備えている。
ハートカム車軸７７は、上ほぞ部がクロノグラフ受２２に設けられた軸受２２Ｄに軸支され、下ほぞ部が輪列受２１に設けられた軸受溝２１Ｂに軸支されている。これにより、ハートカム車７２は、軸線Ｏ４回りに安定的に回転可能とされている。
【００８６】
ハートカム歯車７８は、ハートカム車軸７７のうち上ほぞ部とハートカム５１との間に配置されており、連結歯車７６の歯部７６ａに噛み合う歯部７８ａが外縁部に全周に亘って形成されている。これにより、クロノグラフ作動時、ハートカム車７２は軸線Ｏ４回りに回転する。
【００８７】
なお、本実施形態では、上述したようにひげぜんまい７５の内端部は、ひげ玉５７、連結歯車７６、ハートカム歯車７８及びハートカム車軸７７を介してハートカム５１に接続される。従って、これらひげ玉５７、連結歯車７６、ハートカム歯車７８及びハートカム車軸７７は、ハートカム５１に繋がる輪列７９とされ、この輪列７９を介してひげぜんまい７５の内端部とハートカム５１とが接続されている。
【００８８】
（クロノグラフ機構の作用）
上述したように構成されたクロノグラフ機構７０では、クロノグラフ作動時、クロノグラフ軸４０の回転に伴って、伝え車７１が軸線Ｏ３回りに回転し、ハートカム車７２が軸線Ｏ４回りに回転し、オイルロータ６０が軸線Ｏ２回りに回転する。このとき、伝え歯車５０及び連結歯車７６が同期して回転するので、ひげぜんまい７５は弾性変形することなく、これら伝え歯車５０及び連結歯車７６に追従して回転する。
【００８９】
次いで、クロノグラフの作動の停止後、リセット指示が出されると、復針レバー５３がハートカム５１の外周面を叩いて外力を加えるので、ハートカム車７２の全体が軸線Ｏ４回りに強制回転される。従って、連結歯車７６及びひげ玉５７が、ハートカム５１の強制回転に伴って軸線Ｏ３回りに回転する。このとき、ひげ玉５７は、伝え車軸７４との間の摩擦力を超える外力を受けるので、停止した伝え車軸７４に対して先行的に回転する。これにより、ひげぜんまい７５が縮径又は拡径するように弾性変形する。
【００９０】
そして、ひげぜんまい７５は、弾性変形後に復元変形しはじめ、伝え歯車５０をハートカム車７２及び連結歯車７６の強制回転に追従するように遅れて回転させる。これにより、伝え歯車５０及び第２クロノグラフ歯車７３を介してクロノグラフ軸４０及びクロノグラフ秒針１４を軸線Ｏ１回りに回転させることができ、元の位置にリセットすることができる。
【００９１】
このように、本実施形態のクロノグラフ機構７０の場合であっても、第１実施形態と同様に、先にハートカム５１を強制回転させ、その後にひげぜんまい７５による復元変形を利用してクロノグラフ軸４０及びクロノグラフ秒針１４を帰零させることができ、滑らかな連続運針でリセットすることができる。
特に、本実施形態の場合には、クロノグラフ軸４０、伝え車７１及びハートカム５１を有するハートカム車７２を平面的に配置しているので、ムーブメント１０及び時計１の薄型化に貢献することができる。なお、その他の作用効果は、第１実施形態と同様の作用効果を奏功することができる。
【００９２】
（変形例）
ところで、上記第２実施形態では、１つのひげぜんまい７５を利用したが、この場合に限定されるものではなく、第１実施形態と同様に、第１ひげぜんまい５５及び第２ひげぜんまい５６の２つのひげぜんまいを用いても構わない。特に、巻回方向が異なる２つひげぜんまいを用いることで、クロノグラフ軸４０を初期位置Ｐ１に静止させ易くできるので好ましい。
【００９３】
また、上記第２実施形態では、伝え歯車５０とハートカム５１とを平面的に配置したが、例えば図１１及び図１２に示すように、これらを同軸に配置しても構わない。
図１１及び図１２に示すクロノグラフ機構８０は、伝え車７１がハートカム５１を具備している。具体的には、伝え車軸７４に回転可能に嵌合されたひげ玉５７に、連結歯車７６に代えてハートカム５１が固定されている。
このように構成した場合であっても、第２実施形態と同様の作用効果を奏功することができる。特に、この場合には、ハートカム車７２を省略することができるので、構成の簡略化を図ることができる。
【００９４】
（第３実施形態）
次に、本発明に係る第３実施形態について図面を参照して説明する。なお、この第３実施形態においては、第１実施形態における構成要素と同一の部分については、同一の符号を付しその説明を省略する。
第１実施形態では、弾性体の一例として、第１ひげぜんまい５５及び第２ひげぜんまい５６を利用した構成としたが、第３実施形態では作動レバーばねを利用している。
【００９５】
図１３及び図１４に示すように、本実施形態のクロノグラフ機構９０は、伝え歯車５０の下面に、作動レバー９１及び上記作動レバーばね（本発明に係る弾性体）９２が取り付けられている。
作動レバー９１は、伝え歯車５０の下面に重なるように配置されていると共に、先端部９１ａが自由端とされ、基端部９１ｂが回動ピン９３を介して伝え歯車５０の下面に、回動ピン９３回りに回動可能に取り付けられている。
【００９６】
作動レバーばね９２は、作動レバー９１と同様に、伝え歯車５０の下面に重なるように配置されており、伝え歯車５０の外周に沿って円弧状に形成されている。作動レバーばね９２の一方の端部側は、２つの固定ピン９４を介して伝え歯車５０の下面に固定されている。作動レバーばね９２の他方の端部は、弾性変形可能な自由端９２ａとされており、作動レバー９１をハートカム５１側に常に付勢している。これにより、作動レバー９１は、作動レバーばね９２による弾性力（付勢力）を受けて、先端部９１ａがハートカム５１の外周面を常に押圧している。初期状態では、作動レバー９１の先端部９１ａは、ハートカム５１の当接部５１ａを押圧している。
【００９７】
なお、本実施形態のハートカム５１は、第１実施形態よりも厚みを有しており、復針レバー５３が作動レバー９１及び作動レバーばね９２に干渉することなく、ハートカム５１の外周面を叩くことが可能とされている。
【００９８】
（クロノグラフ機構の作用）
上述したように構成されたクロノグラフ機構９０では、クロノグラフ作動時、図１４に示すように、クロノグラフ軸４０の回転に伴って、伝え歯車５０及びハートカム５１が軸線Ｏ１回りに同期して回転するので、作動レバー９１及び作動レバーばね９２は作動することなく、伝え歯車５０及びハートカム５１に追従して回転する。
【００９９】
次いで、クロノグラフの作動の停止後、リセット指示が出されると、図１５に示すように、復針レバー５３がハートカム５１の外周面を叩いて外力を加えるので、ハートカム５１が軸線Ｏ１回りに強制回転されると共に、復針レバー５３によって規定位置Ｐ２に位置決めされる。このとき、ハートカム５１は、クロノグラフ軸４０における第２拡径部４０ｃとの間の摩擦力を超える外力を受けるので、クロノグラフ軸４０に対して先行的に回転する。
【０１００】
ハートカム５１が強制回転すると、作動レバー９１の先端部９１ａはハートカム５１の外周面に沿って相対的に移動する形となり、先端部９１ａが径方向の外側に移動するように回動ピン９３回りに回動する。これにより、作動レバーばね９２は、径方向の外側に向けて弾性変形する。そのため、ハートカム５１が規定位置Ｐ２に位置決めされると、作動レバーばね９２が復元変形しはじめ、作動レバー９１の先端部９１ａをハートカム５１の外周面に対してさらに押圧する。このとき、作動レバー９１及び作動レバーばね９２は、ハートカム５１からの反力Ｒを受けるので伝え歯車５０の中心の回転モーメントを受け、伝え歯車５０をハートカム５１の強制回転に追従するように遅れて回転させる。
【０１０１】
これにより、図１６に示すように、伝え歯車５０を介してクロノグラフ軸４０及びクロノグラフ秒針１４を軸線Ｏ１回りに回転させることができ、初期位置Ｐ１にリセットすることができる。このリセットによって、作動レバー９１の先端部９１ａは、再びハートカム５１の当接部５１ａを押圧した状態となる。
このように、本実施形態の場合であっても、先にハートカム５１を強制回転させ、その後に作動レバーばね９２による復元変形を利用してクロノグラフ軸４０及びクロノグラフ秒針１４を帰零させることができ、滑らかな連続運針でリセットすることができる。なお、その他の作用効果は、第１実施形態と同様の作用効果を奏功することができる。
【０１０２】
なお、本発明の技術範囲は上記実施の形態に限定されるものではなく、本発明の趣旨を逸脱しない範囲において種々の変更を加えることが可能である。
【０１０３】
例えば、上記各実施形態では、クォーツ式の時計１を例に挙げて説明したが、機械式時計に適用しても構わない。また、弾性体としては、上述したように、１つ又は２つのひげぜんまいを利用しても構わないし、作動レバーばねのようなひげぜんまい以外の構成を採用しても構わない。
【０１０４】
また、上記各実施形態では、クロノグラフ秒針１４が取り付けられたクロノグラフ軸４０を帰零させる場合を例に挙げて説明したが、クロノグラフ分針やクロノグラフ時針が取り付けられたクロノグラフ軸４０を帰零させる場合であっても構わない。
【０１０５】
また、上記各実施形態において、オイルロータ６０のロータディスク６０ｂに、粘性抵抗を調整するための抵抗調整溝や、羽根のような抵抗突起を形成しても良い。このようにすることで、オイルロータ６０の回転抵抗を容易に調整でき、クロノグラフ軸４０の帰零速度をさらに制御し易い。
【０１０６】
また、上記各実施形態では、抵抗体として粘性流体６１を例に挙げて説明したが、この場合に限定されるものではない。例えば、空気や特定のガス等の気体を利用しても構わない。この場合であっても、ロータディスク６０ｂの形状等を適宜工夫することで、回転抵抗を付与することが可能となる。
【０１０７】
さらには、図１７及び図１８に示すように、渦巻きばね利用しても構わない。
図１７及び図１８に示すクロノグラフ機構１００は、第３実施形態を例にしており、第３実施形態における構成要素と同一の部分については、同一の符号を付しその説明を省略する。
この場合のクロノグラフ機構１００は、クロノグラフ軸４０の回転に伴って回転するロータ（本発明に係る第２回転体）１０１と、ロータ１０１に対して回転抵抗を付与する渦巻きばね（本発明に係る抵抗体）１０２と、を有する回転抑制部１０３を備えている。
【０１０８】
ロータ１０１は、伝え歯車５０の歯部５０ａに噛み合うロータかな１０１ａと、ロータかな１０１ａの下方に位置する部分に固定されたひげ玉１０５と、を有している。渦巻きばね１０２は、初期弾性力を有するように巻回されており、内端部１０２ａがひげ玉１０５に固定され、外端部１０２ｂは自由端とされて、キャビティ６２の内面に接触している。この際、渦巻きばね１０２の外端部１０２ｂは、キャビティ６２の内面を内側から押圧している。これにより、渦巻きばね１０２は、ロータ１０１の回転に伴って外端部１０２ｂがキャビティ６２の内面を常に押圧しながら回転する。
従って、この場合であっても、ロータ１０１に回転抵抗を付与することができ、クロノグラフ軸４０の帰零速度を抑制することが可能とされている。
【符号の説明】
【０１０９】
Ｐ１…初期位置
Ｐ２…規定位置
１…時計
１０…ムーブメント（時計用ムーブメント）
１４…クロノグラフ秒針（表示部）
２４、７０、８０、９０、１００…クロノグラフ機構（時間表示機構）
４０…クロノグラフ軸（指示部）
４１…復帰部
４２、１０３…回転抑制部
５０…伝え歯車（第１回転体）
５１…ハートカム
５２、７５…ひげぜんまい（弾性体）
５５…第１ひげぜんまい
５６…第２ひげぜんまい
６０…オイルロータ（第２回転体）
６１…粘性流体（抵抗体）
７９…輪列
９２…作動レバーばね（弾性体）
１０１…ロータ（第２回転体）
１０２…渦巻きばね（抵抗体）
【図１】
2015166717.tif 000003
【図２】
2015166717.tif 000004
【図３】
2015166717.tif 000005
【図４】
2015166717.tif 000006
【図５】
2015166717.tif 000007
【図６】
2015166717.tif 000008
【図７】
2015166717.tif 000009
【図８】
2015166717.tif 000010
【図９】
2015166717.tif 000011
【図１０】
2015166717.tif 000012
【図１１】
2015166717.tif 000013
【図１２】
2015166717.tif 000014
【図１３】
2015166717.tif 000015
【図１４】
2015166717.tif 000016
【図１５】
2015166717.tif 000017
【図１６】
2015166717.tif 000018
【図１７】
2015166717.tif 000019
【図１８】
2015166717.tif 000020